(57)【要約】【課題】  字幕表示／非表示の設定が「字幕表示」と設定されている場合であっても、所望の番組属性を持った番組のみ字幕を非表示とすることができたり、字幕表示／非表示の設定が「字幕非表示」と設定されている場合であっても、所望の番組属性を持った番組のみ字幕を表示する。【解決手段】  第１の字幕表示設定手段は、字幕表示／非表示を設定する。第２の字幕表示設定手段は、ユーザにより設定された所望の番組属性情報をもった番組について字幕表示／非表示を設定する。制御手段は、復号された番組属性情報が、前記第２の字幕表示設定手段により設定された所望の番組属性情報のときには前記第２の字幕表示設定手段により設定された字幕表示／非表示に従い、これ以外では前記第１の字幕表示設定手段により設定された字幕表示／非表示に従い字幕の表示／非表示を制御する字幕放送受信装置。【選択図】      図５
2007013561.tif 000002
【特許請求の範囲】
【請求項１】
デジタルテレビジョン放送信号を復調してデジタルデータのビットストリームを得る復調手段と、
前記復調手段で得たビットストリームを復号し番組属性情報を得る復号手段と、
ユーザにより設定された所望の番組属性情報をもった番組について字幕表示／非表示を設定する字幕表示設定手段と、
前記復号手段により復号された番組属性情報が、前記字幕表示設定手段により設定された所望の番組属性情報のときには前記字幕表示設定手段により設定された字幕表示／非表示に従い字幕の表示／非表示を制御する制御手段とを具備したことを特徴とする字幕放送受信装置。
【請求項２】
デジタルテレビジョン放送信号を復調してデジタルデータのビットストリームを得る復調手段と、
前記復調手段で得たビットストリームを復号し番組属性情報を得る復号手段と、
字幕表示／非表示を設定する第１の字幕表示設定手段と、
ユーザにより設定された所望の番組属性情報をもった番組について字幕表示／非表示を設定する第２の字幕表示設定手段と、
前記復号手段により復号された番組属性情報が、前記第２の字幕表示設定手段により設定された所望の番組属性情報のときには前記第２の字幕表示設定手段により設定された字幕表示／非表示に従い、これ以外では前記第１の字幕表示設定手段により設定された字幕表示／非表示に従い字幕の表示／非表示を制御する制御手段とを具備したことを特徴とする字幕放送受信装置。
【請求項３】
前記第２の字幕表示設定手段に設定される設定情報は番組ジャンルデータ，チャンネルデータ，番組視聴年齢制限データ，番組放送時間データのいずれかであることを特徴とする請求項１または２に記載の字幕放送受信装置。
【請求項４】
復調手段により、デジタルテレビジョン放送信号を復調してデジタルデータのビットストリームを得、
復号手段により、前記復調手段で得たビットストリームを復号し番組属性情報を得、
字幕表示設定手段により、ユーザにより設定された所望の番組属性情報をもった番組について字幕表示／非表示を設定し、
制御手段により、前記復号手段により復号された番組属性情報が、前記字幕表示設定手段により設定された所望の番組属性情報のときには前記字幕表示設定手段により設定された字幕表示／非表示に従い字幕の表示／非表示を制御することを特徴とする字幕放送受信方法。
【請求項５】
復調手段により、デジタルテレビジョン放送信号を復調してデジタルデータのビットストリームを得、
復号手段により、前記復調手段で得たビットストリームを復号し番組属性情報を得、
第１の字幕表示設定手段により、字幕表示／非表示を設定し、
第２の字幕表示設定手段により、ユーザにより設定された所望の番組属性情報をもった番組について字幕表示／非表示を設定し、
制御手段により、前記復号手段により復号された番組属性情報が、前記第２の字幕表示設定手段により設定された所望の番組属性情報のときには前記第２の字幕表示設定手段により設定された字幕表示／非表示に従い、これ以外では前記第１の字幕表示設定手段により設定された字幕表示／非表示に従い字幕の表示／非表示を制御するとを特徴とする字幕放送受信方法。
【発明の詳細な説明】
【技術分野】
【０００１】
この発明は、受信装置に関し、特にテレビジョン信号から字幕情報を抽出して表示する字幕放送受信装置する。
【背景技術】
【０００２】
現在、デジタル方式で送受信を行うデジタル放送システムが実用化されている。このシステムでは、動画像符号化標準方式であるＭＰＥＧ（Moving Picture Image Coding Experts Group）方式により、高能率圧縮符号化された複数チャンネルの符号化画像データを多重して伝送する多チャンネルのデジタル伝送システムが用いられている。このＭＰＥＧ方式を用いたシステムについては、「ＩＳＯ／ＩＥＣ  １３８１８−１」の文献などに記載されている。
【０００３】
放送局側では、番組を構成するデジタル映像・音声データ及び付加情報データを上述した圧縮方式によりそれぞれ圧縮処理を施し、ＴＳ（トランスポートストリーム）という形式の多重信号を形成して放送する。更に、番組情報データとして、番組のジャンル分類などの番組属性情報が時分割多重されている。
【０００４】
番組情報データのジャンル分類は、番組に関する情報として「大分類」「中分類」の記述がされている。「大分類」には、ニュース、スポーツ、映画等があり、「中分類」には「大分類」を更に細かく分けた分類として、「大分類」がニュースであれば、天気、政治、経済等があり、また「大分類」が映画であれば、洋画、邦画、アニメ等がある。ジャンル分類は番組絞込み検索などに使用されている。信号形式に関しては、例えば、デジタル放送の運用規定として「ＡＲＩＢ  ＳＴＤ−Ｂ１５」や、「ＡＲＩＢ  ＳＴＤ−Ｂ１４」の文献などに記載されている。
【０００５】
字幕放送は難聴者のために開発されたもので、番組情報データと同様にＴＳ信号に時分割多重されて放送されている。受信機では、多重化されたデータを復号し、画面に映像データと統合されて映し出される。
【０００６】
また、字幕の別な使い方として、外国語の学習や、音を消音状態にした場合でも番組の内容を知ることができる、といった用途もある。
受信機には、字幕を表示するか、あるいは非表示とするかの視聴者の好みを設定できる手段がある。例えば、字幕を表示する場合の設定を「字幕ＯＮ」、字幕を非表示とする場合の設定を「字幕ＯＦＦ」とする（例えば、特許文献１参照）。「字幕ＯＮ」と設定すると、字幕データが存在するチャンネルを視聴している場合には字幕が表示される。「字幕ＯＦＦ」と設定すれば、視聴中のチャンネルに字幕データが存在する場合でも字幕を画面に表示しないよう制御される。
【特許文献１】特開平０７−２５０２８０号公報
【発明の開示】
【発明が解決しようとする課題】
【０００７】
しかしながら、上述した従来技術では、受信機の設定を「字幕ＯＮ」とした場合、字幕データが多重されている放送を受信すると、字幕を見たくない番組でも必ず字幕が表示されてしまい、字幕を消すためには、その都度受信機の設定を「字幕ＯＦＦ」としなければならないという問題点があった。また、受信機の設定を「字幕ＯＦＦ」としていた場合、見たかった字幕を見逃してしまう、という問題点があった。
【０００８】
そこで、本発明は上記の問題を解決するためになされたものであり、番組属性情報を元に、視聴者が字幕の表示を禁止したい番組だけ字幕を非表示とすることを可能とすることを目的とし、同様に、番組属性情報を元に、視聴者の好みの番組だけ字幕を表示することを可能とすることを目的とする。
【課題を解決するための手段】
【０００９】
上記の目的を達成するために、この発明においては、デジタルテレビジョン放送信号を復調してデジタルデータのビットストリームを得る復調手段と、前記復調手段で得たビットストリームを復号し番組属性情報を得る復号手段と、ユーザにより設定された所望の番組属性情報をもった番組について字幕表示／非表示を設定する字幕表示設定手段と、前記復号手段により復号された番組属性情報が、前記字幕表示設定手段により設定された所望の番組属性情報のときには前記字幕表示設定手段により設定された字幕表示／非表示に従い字幕の表示／非表示を制御する制御手段とを具備したことを特徴とする字幕放送受信装置を提供する。
【００１０】
なお、装置に係る本発明は方法に係る発明としても成立し、方法に係る本発明は装置に係る発明としても成立する。
また、装置または方法に係る本発明は、コンピュータに当該発明に相当する手順を実行させるための（あるいはコンピュータを当該発明に相当する手段として機能させるための、あるいはコンピュータに当該発明に相当する機能を実現させるための）プログラムとしても成立し、該プログラムを記録したコンピュータ読み取り可能な記録媒体としても成立する。
【発明の効果】
【００１１】
この発明によれば、番組属性情報を元に、視聴者が字幕の表示を禁止したい番組だけ字幕を非表示とすることを可能とすることを目的とし、同様に、番組属性情報を元に、視聴者の好みの番組だけ字幕を表示することを可能とすることを目的とする。
【発明を実施するための最良の形態】
【００１２】
以下、図面を参照しながら本発明の実施形態について説明する。
（第１の実施例）
図１は、この発明を適用したデジタルテレビジョン放送受信装置１１１の外観と、このデジタルテレビジョン放送受信装置１１１を中心として構成されるネットワークシステムの一例を概略的に示している。
【００１３】
すなわち、デジタルテレビジョン放送受信装置１１１は、主として、薄型のキャビネット１１２と、このキャビネット１１２を起立させて支持する支持台１１３とから構成されている。そして、キャビネット１１２には、例えばＳＥＤ（Surface-conduction Electron-emitter Display）表示パネル，液晶表示パネル等でなる平面パネル型の映像表示器１１４、スピーカ１１５、操作部１１６、リモートコントローラ１１７から送信される操作情報を受ける受光部１１８等が設置されている。
【００１４】
また、このデジタルテレビジョン放送受信装置１１１には、例えばＳＤ（Secure Digital）メモリカード、ＭＭＣ（Multimedia Card）及びメモリスティック等の第１のメモリカード１１９が着脱可能となっており、この第１のメモリカード１１９に対して番組や写真等の情報の記録再生が行なわれるようになっている。
【００１５】
さらに、このデジタルテレビジョン放送受信装置１１１には、例えば契約情報等の記録された第２のメモリカード（ＩＣカード）１２０が着脱可能となっており、この第２のメモリカード１２０に対して情報の記録再生が行なわれるようになっている。
【００１６】
また、このデジタルテレビジョン放送受信装置１１１は、第１のＬＡＮ（Local Area Network）端子１２１、第２のＬＡＮ端子１２２、ＵＳＢ（Universal Serial Bus）端子１２３及びｉ．ＬＩＮＫ端子１２４を備えている。
【００１７】
このうち、第１のＬＡＮ端子１２１は、ＬＡＮ対応ＨＤＤ専用ポートとして使用されるもので、接続されたＮＡＳ（Network Attached Storage）であるＬＡＮ対応のＨＤＤ１２５に対して、イーサネット（登録商標）により情報の記録再生を行なうために使用される。
【００１８】
このように、ＬＡＮ対応ＨＤＤ専用ポートとしての第１のＬＡＮ端子１２１を設けることにより、他のネットワーク環境やネットワーク使用状況等に影響されることなく、ＨＤＤ１２５に対してハイビジョン画質による番組の情報記録を安定して行なうことができる。
【００１９】
また、第２のＬＡＮ端子１２２は、イーサネット（登録商標）を用いた一般的なＬＡＮ対応ポートとして使用されるもので、例えばハブ１２６を介して、ＬＡＮ対応のＨＤＤ１２７、ＰＣ（Personal Computer）１２８、ＨＤＤ内蔵のＤＶＤ（Digital Versatile Disk）レコーダ１２９等の機器を接続し、これらの機器と情報伝送を行なうために使用される。
【００２０】
なお、ＰＣ１２８については、家庭内ネットワークにおいてコンテンツのサーバー機器として動作するための機能を持ち、さらにコンテンツのアクセスに必要なＵＲＩ（Uniform Resource Identifier）情報を提供するサービスを備えたＵＰｎＰ（ユニバーサルプラグアンドプレイ）対応機器として構成される。
【００２１】
なお、ＤＶＤレコーダ１２９については、第２のＬＡＮ端子１２２を介して通信されるデジタル情報が制御系のみの情報であるため、デジタルテレビジョン放送受信装置１１１との間でアナログの映像及び音声情報を伝送するために、専用のアナログ伝送路１３０を設ける必要がある。
【００２２】
さらに、この第２のＬＡＮ端子１２２は、ハブ１２６に接続されたブロードバンドルータ１３１を介して、例えばインターネット等のネットワーク１３２に接続し、このネットワーク１３２を介してＰＣ１３３や携帯電話１３４等と情報伝送を行なうために使用される。
【００２３】
なお、ＰＣ１３３についてはコンテンツのサーバー機器として動作するための機能を持ち、さらにコンテンツのアクセスに必要なＵＲＩ情報を提供するサービスを備えたＵＰｎＰ対応機器として構成される。
【００２４】
また、上記ＵＳＢ端子１２３は、一般的なＵＳＢ対応ポートとして使用されるもので、例えばハブ１３５を介して、携帯電話１３６、デジタルカメラ１３７、メモリカードに対するカードリーダ／ライタ１３８、ＨＤＤ１３９、キーボード１４０等のＵＳＢ機器を接続し、これらのＵＳＢ機器と情報伝送を行なうために使用される。
【００２５】
さらに、上記ｉ．ＬＩＮＫ端子１２４は、例えばＡＶ−ＨＤＤ１４１、Ｄ（Digital）−ＶＨＳ（Video Home System）１４２等をシリアル接続し、これらの機器と情報伝送を行なうために使用される。
【００２６】
図２は、上記したデジタルテレビジョン放送受信装置１１１の主要な信号処理系を示している。
すなわち、ＢＳ／ＣＳデジタル放送受信用のアンテナ２４３で受信した衛星デジタルテレビジョン放送信号は、入力端子２４４を介して衛星デジタル放送用のチューナ２４５ａに供給される。
【００２７】
チューナ２４５ａは、制御部２６１からの制御信号により所望のチャンネルの放送信号を選局し、この選局された放送信号をＰＳＫ（Phase Shift Keying）復調器２４５ｂに出力する。
【００２８】
ＰＳＫ復調器２４５ｂは、制御部２６１からの制御信号により、チューナ２４５ａで選局された放送信号を復調し、所望の番組を含んだトランスポートストリームを得て、ＴＳ復号器２４５ｃに出力する。
【００２９】
ＴＳ復号器２４５ｃは、制御部２６１からの制御信号によりトランスポートストリーム（ＴＳ）多重化された信号のＴＳ復号処理を行い、所望の番組のデジタルの映像信号及び音声信号を信号処理部２４７に出力し、デジタル放送により送られている番組を取得するための各種データ（サービス情報），電子番組ガイド（ＥＰＧ）情報，番組属性情報（番組ジャンル等），字幕情報等を制御部２６１へ出力する。
【００３０】
また、地上波放送受信用のアンテナ２４８で受信した地上デジタルテレビジョン放送信号は、入力端子２４９を介して地上デジタル放送用のチューナ２５０ａに供給される。
【００３１】
チューナ２５０ａは、制御部２６１からの制御信号により所望のチャンネルの放送信号を選局し、この選局された放送信号をＯＦＤＭ（Orthogonal Frequency Division Multiplexing）復調器２５０ｂに出力する。
【００３２】
ＯＦＤＭ復調器２５０ｂは、制御部２６１からの制御信号により、チューナ２５０ａで選局された放送信号を復調し、所望の番組を含んだトランスポートストリームを得て、ＴＳ復号器２５０ｃに出力する。
【００３３】
ＴＳ復号器２５０ｃは、制御部２６１からの制御信号によりトランスポートストリーム（ＴＳ）多重化された信号のＴＳ復号処理を行い、所望の番組のデジタルの映像信号及び音声信号を信号処理部２４７に出力し、デジタル放送により送られている番組を取得するための各種データや電子番組ガイド（ＥＰＧ）情報，番組属性情報（番組ジャンル等）等を制御部２６１へ出力する。
【００３４】
また、上記地上波放送受信用のアンテナ２４８で受信した地上アナログテレビジョン放送信号は、入力端子２４９を介して地上アナログ放送用のチューナ２５２ａに供給されることにより、所望のチャンネルの放送信号が選局される。そして、このチューナ２５２ａで選局された放送信号は、アナログ復調器２５２ｂに供給されてアナログの映像信号及び音声信号に復調された後、上記信号処理部２４７に出力される。
【００３５】
ここで、上記信号処理部２４７は、ＰＳＫ復調器２４５ｂ及びＯＦＤＭ復調器２５０ｂからそれぞれ供給されたデジタルの映像信号及び音声信号に対して、選択的に所定のデジタル信号処理を施し、グラフィック処理部２５４及び音声処理部２５５に出力している。
【００３６】
また、上記信号処理部２４７には、複数（図示の場合は４つ）の入力端子２５６ａ，２５６ｂ，２５６ｃ，２５６ｄが接続されている。これら入力端子２５６ａ〜２５６ｄは、それぞれ、アナログの映像信号及び音声信号を、デジタルテレビジョン放送受信装置１１１の外部から入力可能とするものである。
【００３７】
信号処理部２４７は、上記アナログ復調器２５３及び各入力端子２５６ａ〜２５６ｄからそれぞれ供給されたアナログの映像信号及び音声信号を選択的にデジタル化し、このデジタル化された映像信号及び音声信号に対して所定のデジタル信号処理を施した後、グラフィック処理部２５４及び音声処理部２５５に出力する。
【００３８】
グラフィック処理部２５４は、信号処理部２４７から供給されるデジタルの映像信号に、ＯＳＤ（On Screen Display）信号生成部２５７で生成されるＯＳＤ信号を重畳して出力する機能を有する。このグラフィック処理部２５４は、信号処理部２４７の出力映像信号と、ＯＳＤ信号生成部２５７の出力ＯＳＤ信号とを選択的に出力すること、また、両出力をそれぞれ画面の半分を構成するように組み合わせて出力することができる。
【００３９】
また、字幕放送による字幕を表示するとき、グラフィック処理部２５４は、制御部２６１からの制御信号および字幕情報に基づき、映像信号上に字幕情報を重畳する処理を行う。
【００４０】
グラフィック処理部２５４から出力されたデジタルの映像信号は、映像処理部２５８に供給される。この映像処理部２５８は、入力されたデジタルの映像信号を、前記映像表示器１１４で表示可能なフォーマットのアナログ映像信号に変換した後、映像表示器１１４に出力して映像表示させるとともに、出力端子２５９を介して外部に導出させる。
【００４１】
また、上記音声処理部２５５は、入力されたデジタルの音声信号を、前記スピーカ１１５で再生可能なフォーマットのアナログ音声信号に変換した後、スピーカ１１５に出力して音声再生させるとともに、出力端子２６０を介して外部に導出させる。
【００４２】
ここで、このデジタルテレビジョン放送受信装置１１１は、上記した各種の受信動作を含むその全ての動作を制御部２６１によって統括的に制御されている。この制御部２６１は、ＣＰＵ（Central Processing Unit）等を内蔵しており、前記操作部１１６からの操作情報を受け、または、リモートコントローラ１１７から送出された操作情報を、前記受光部１１８を介して受信し、その操作内容が反映されるように各部をそれぞれ制御している。
【００４３】
この場合、制御部２６１は、主として、そのＣＰＵが実行する制御プログラムを格納したＲＯＭ（Read Only Memory）２６１ａと、該ＣＰＵに作業エリアを提供するＲＡＭ（Random Access Memory）２６１ｂと、各種の設定情報及び制御情報等が格納される不揮発性メモリ２６１ｃとを利用している。
【００４４】
また、この制御部２６１は、カードＩ／Ｆ（Interface）２６５を介して、前記第１のメモリカード１１９が装着可能なカードホルダ２６６に接続されている。これによって、制御部２６１は、カードホルダ２６６に装着された第１のメモリカード１１９と、カードＩ／Ｆ２６５を介して情報伝送を行なうことができる。
【００４５】
さらに、上記制御部２６１は、カードＩ／Ｆ２６７を介して、前記第２のメモリカード１２０が装着可能なカードホルダ２６８に接続されている。これにより、制御部２６１は、カードホルダ２６８に装着された第２のメモリカード１２０と、カードＩ／Ｆ２６７を介して情報伝送を行なうことができる。
【００４６】
また、上記制御部２６１は、通信Ｉ／Ｆ２６９を介して第１のＬＡＮ端子１２１に接続されている。これにより、制御部２６１は、第１のＬＡＮ端子１２１に接続されたＬＡＮ対応のＨＤＤ１２５と、通信Ｉ／Ｆ２６９を介して情報伝送を行なうことができる。この場合、制御部２６１は、ＤＨＣＰ（Dynamic Host Configuration Protocol）サーバ機能を有し、第１のＬＡＮ端子１２１に接続されたＬＡＮ対応のＨＤＤ１２５にＩＰ（Internet Protocol）アドレスを割り当てて制御している。
【００４７】
さらに、上記制御部２６１は、通信Ｉ／Ｆ２７０を介して第２のＬＡＮ端子１２２に接続されている。これにより、制御部２６１は、第２のＬＡＮ端子１２２に接続された各機器（図１参照）と、通信Ｉ／Ｆ２７０を介して情報伝送を行なうことができる。
【００４８】
また、上記制御部２６１は、ＵＳＢ  Ｉ／Ｆ２７１を介して前記ＵＳＢ端子１２３に接続されている。これにより、制御部２６１は、ＵＳＢ端子１２３に接続された各機器（図１参照）と、ＵＳＢ  Ｉ／Ｆ２７１を介して情報伝送を行なうことができる。
【００４９】
さらに、上記制御部２６１は、ｉ．ＬＩＮＫ  Ｉ／Ｆ２７２を介してｉ．ＬＩＮＫ端子１２４に接続されている。これにより、制御部２６１は、ｉ．ＬＩＮＫ端子１２４に接続された各機器（図１参照）と、ｉ．ＬＩＮＫ  Ｉ／Ｆ２７２を介して情報伝送を行なうことができる。
【００５０】
ところで、この実施形態では、ＨＤＤ１２５に初期登録時のＨＤＤ１２５、ＨＤＤ１２７、ＰＣ１２８、ＤＶＤレコーダ１２９それぞれに割り当てられたストレージＩＤ（ＩＰアドレス、機器名を含む）を記述した登録ファイルを記憶保持している。
【００５１】
また、不揮発性メモリ２６１ｃに、ＨＤＤ１２５、ＨＤＤ１２７、ＰＣ１２８、ＤＶＤレコーダ１２９それぞれのストレージＩＤを記憶している。
また、制御部２６１は、この発明に係わる機能として、ＵＰｎＰを利用した（１）サーバー機器発見機能２６１ｄと、（２）ＵＰｎＰを利用したコンテンツ情報取得機能２６１ｅと、（３）コンテンツアクセス制御機能２６１ｆとを備えている。
【００５２】
（１）制御部２６１は、サーバー機器発見機能２６１ｄにより、ＵＰｎＰのディスカバリ機能を用いてネットワーク上のＵＰｎＰ対応機器を発見する。例えばサーバー機器発見機能２６１ｄは、ＵＰｎＰのディスカバリ機能を用いてＰＣ１２８を発見する。
【００５３】
（２）制御部２６１は、コンテンツ情報取得機能２６１ｅにより、ＵＰｎＰのコントロール機能を用いてＵＰｎＰ対応機器をコントロールし、ＵＰｎＰ対応機器内のコンテンツをアクセスするために必要なＵＲＩ情報を取得する。例えばコンテンツ情報取得機能２６１ｅは、ＰＣ１２８をコントロールし、ＰＣ１２８内のＨＤＤ等に蓄積されているコンテンツをアクセスするために必要なＵＲＩ情報をＰＣ１２８から取得する。
【００５４】
（３）制御部２６１は、コンテンツアクセス制御機能２６１ｆにより、サーバー機器発見機能２６１ｄにより取得したサーバー機器のＩＰアドレス情報と、コンテンツ情報取得機能２６１ｅにより取得したＵＲＩ情報から得たＩＰアドレス情報と、デジタルテレビジョン放送受信装置１１１のＬＡＮ端子１２２に割り当てられたＩＰアドレスとネットマスクに基づいてコンテンツへのアクセス可否判定を行う。そして制御部２６１は、アクセス可と判断した場合にはコンテンツアクセスを許可するが、否と判断した場合には許可できない旨を映像表示器１１４にＯＳＤにより表示させる。
【００５５】
次に、上記構成における字幕のＯＮ／ＯＦＦの設定動作について、図３および図４を用いて詳細に説明する。
図３は、字幕のＯＮ／ＯＦＦの設定動作を説明するためのフローチャートである。
ステップＳ３０１：図３において、視聴者は、操作部１１６を操作し、図４に示す「字幕ＯＮ／ＯＦＦ設定メニュー」を表示させ、字幕ＯＮ／ＯＦＦを設定する。視聴者は字幕を表示する場合には「字幕ＯＮ」、字幕を非表示とする場合には「字幕ＯＦＦ」を選択して設定する。この設定したデータは、例えば制御部２６１内の不揮発性メモリ２６１ｃに記憶される。図４の例は、「字幕ＯＮ」を選択した状態の図である。「字幕ＯＮ」と設定することにより、字幕放送の番組ならば字幕を表示する。また、「字幕ＯＦＦ」と設定することにより、字幕放送の番組であっても字幕は表示しない。
【００５６】
ステップＳ３０２：ステップＳ３０１の次に、優先して字幕をＯＮ／ＯＦＦするジャンルを設定する。この優先して字幕をＯＮ／ＯＦＦするジャンルとは、ステップＳ３０１での「字幕ＯＮ」または「字幕ＯＦＦ」の設定よりも優先される設定であり、字幕のＯＮ／ＯＦＦをジャンル毎に設定することができる。字幕を見たい番組のジャンルを“字幕ＯＮ”の欄に登録し、逆に字幕を見たくない番組のジャンルは“字幕ＯＦＦ”の欄に登録する。ここで登録したデータは、例えば制御部２６１内の不揮発性メモリ２６１ｃに、字幕表示／非表示ジャンル設定テーブルとして記憶される。図４に示した例では、“字幕ＯＮ”にジャンル名「ニュース」，「スポーツ」，「料理」を登録し、“字幕ＯＦＦ”にジャンル名「映画」，「アニメ」を登録している。
【００５７】
次に、上記のように設定されたときの字幕のＯＮ／ＯＦＦの表示動作について、図５を用いて詳細に説明する。
図５は、制御部２６１による字幕のＯＮ／ＯＦＦの表示動作を説明するためのフローチャートである。
ステップＳ５０１：現在視聴中の番組からジャンル情報を抽出する。
ステップＳ５０２：制御部２６１は、制御部２６１内の不揮発性メモリ２６１ｃに設定されている字幕表示／非表示ジャンル設定テーブルへアクセスすることにより、ステップＳ５０１で抽出したジャンルが“字幕ＯＮ”のジャンルなのか、“字幕ＯＦＦ”のジャンルなのか、“字幕ＯＮ”のジャンルでも“字幕ＯＦＦ”のジャンルでもないのかを判定する。ステップＳ５０１で抽出したジャンルが“字幕ＯＮ”のジャンルの場合、ステップＳ５０４へ進み字幕を表示する。ステップＳ５０１で抽出したジャンルが“字幕ＯＦＦ”のジャンルの場合、ステップＳ５０５へ進み字幕を非表示とする。ステップＳ５０１で抽出したジャンルが“字幕ＯＮ”のジャンルでも“字幕ＯＦＦ”のジャンルでもない場合には、ステップＳ５０３へ進む。
【００５８】
ステップＳ５０３：制御部２６１は、制御部２６１内の不揮発性メモリ２６１ｃに設定されている情報へアクセスすることにより、図３のステップＳ３０１で設定された字幕ＯＮ／ＯＦＦの設定が「字幕ＯＮ」か「字幕ＯＦＦ」かを判定する。“字幕ＯＮ”のジャンルの場合、ステップＳ５０４へ進み字幕を表示する。“字幕ＯＦＦ”のジャンルの場合、ステップＳ５０５へ進み字幕を非表示とする。
【００５９】
ステップＳ５０４：制御部２６１は、ＯＳＤ信号生成部２５７およびグラフィック処理部２５４を制御して、字幕を映像信号に重畳することにより字幕の重畳された映像を映像表示器１１４に表示させる。
【００６０】
ステップＳ５０５：制御部２６１は、ＯＳＤ信号生成部２５７およびグラフィック処理部２５４を制御して、字幕を映像信号に重畳させないことにより字幕を非表示とし、字幕の重畳されていない映像を映像表示器１１４に表示させる。
【００６１】
例えば、図４に示すように設定されているときに、現在視聴している番組のジャンルが「映画」の場合には、字幕がＯＦＦされる。
このように、図４の字幕ＯＮ／ＯＦＦの設定にて、「字幕ＯＦＦ」と設定してあっても、図４の「優先して字幕をＯＮ／ＯＦＦするジャンル」の設定で、“字幕ＯＮ”に登録されているジャンルと一致する番組を受信している場合には字幕を表示する。また、図４の字幕ＯＮ／ＯＦＦの設定にて、「字幕ＯＮ」と設定してあっても、図４の「優先して字幕をＯＮ／ＯＦＦするジャンル」の設定で、“字幕ＯＦＦ”に登録されているジャンルと一致する番組を受信している場合には字幕を非表示する。さらに、図４の「優先して字幕をＯＮ／ＯＦＦするジャンル」で登録してあるジャンルにいずれも一致しない場合には、図４の字幕ＯＮ／ＯＦＦの設定に従う。
【００６２】
これにより、番組属性情報を元に、視聴者が字幕の表示を禁止したい番組だけ字幕を非表示とすることを可能とし、同様に、番組属性情報を元に、視聴者の好みの番組だけ字幕を表示することを可能とする。
【００６３】
第１の実施形態では、番組ジャンルデータに基づき、字幕の表示／非表示を制御することができる。
受信機の主たる字幕表示／非表示の設定が「字幕を表示する」という設定であっても、所望の番組属性を持った番組のみ字幕を非表示とすることができ、特定の番組だけは字幕設定を行うこと無く字幕を表示しないようにすることが出来る。また、主たる字幕表示／非表示の設定が「字幕を表示しない」という設定であっても、所望の番組属性を持った番組のみ字幕を表示することができ、字幕を見逃さないようにすることができる。
【００６４】
本発明は上記の問題を解決するためになされたものであり、番組属性情報を元に、視聴者が字幕の表示を禁止したい番組だけ字幕を非表示とすることを可能とすることを目的とし、同様に、番組属性情報を元に、視聴者の好みの番組だけ字幕を表示することを可能とすることを目的とする。
【００６５】
（第２の実施例）
次に、この発明の第２の実施形態について図６〜図８を用いて説明する。なお、この第２の実施形態は第１の実施形態を変形したものであり、図１および図２については共通しているため説明は省略し、異なる部分についてのみ説明をする。
【００６６】
第１の実施形態では、「優先して字幕をＯＮ／ＯＦＦするジャンル」により、通常の「字幕ＯＮ／ＯＦＦ」の設定よりも優先して字幕のＯＮ／ＯＦＦを制御した。この第２の実施形態ではこれに代え、「優先して字幕をＯＮ／ＯＦＦするチャンネル」により、通常の「字幕ＯＮ／ＯＦＦ」の設定よりも優先して字幕のＯＮ／ＯＦＦを制御するものである。
【００６７】
まず、字幕のＯＮ／ＯＦＦの設定動作について、図６および図７を用いて詳細に説明する。
図６は、字幕のＯＮ／ＯＦＦの設定動作を説明するためのフローチャートである。
ステップＳ６０１：図６において、視聴者は、操作部１１６を操作し、図７に示す「字幕ＯＮ／ＯＦＦ設定メニュー」を表示させ、字幕ＯＮ／ＯＦＦを設定する。視聴者は字幕を表示する場合には「字幕ＯＮ」、字幕を非表示とする場合には「字幕ＯＦＦ」を選択して設定する。この設定したデータは、例えば制御部２６１内の不揮発性メモリ２６１ｃに記憶される。図７の例は、「字幕ＯＮ」を選択した状態の図である。「字幕ＯＮ」と設定することにより、字幕放送の番組ならば字幕を表示する。また、「字幕ＯＦＦ」と設定することにより、字幕放送の番組であっても字幕は表示しない。
【００６８】
ステップＳ６０２：ステップＳ６０１の次に、優先して字幕をＯＮ／ＯＦＦするチャンネルを設定する。この優先して字幕をＯＮ／ＯＦＦするチャンネルとは、ステップＳ６０１での「字幕ＯＮ」または「字幕ＯＦＦ」の設定よりも優先される設定であり、字幕のＯＮ／ＯＦＦをチャンネル毎に設定することができる。字幕を見たい番組のチャンネルを“字幕ＯＮ”の欄に登録し、逆に字幕を見たくない番組のチャンネルは“字幕ＯＦＦ”の欄に登録する。ここで登録したデータは、例えば制御部２６１内の不揮発性メモリ２６１ｃに、字幕表示／非表示チャンネル設定テーブルとして記憶される。図４に示した例では、“字幕ＯＮ”にチャンネルとして「１０１ｃｈ」，「１０２ｃｈ」，「１０３ｃｈ」を登録し、“字幕ＯＦＦ”にチャンネルとして「１４１ｃｈ」を登録している。
【００６９】
次に、上記のように設定されたときの字幕のＯＮ／ＯＦＦの表示動作について、図８を用いて詳細に説明する。
図８は、制御部２６１による字幕のＯＮ／ＯＦＦの表示動作を説明するためのフローチャートである。
ステップＳ８０１：現在視聴中の番組からチャンネル情報を抽出する。
ステップＳ８０２：制御部２６１は、制御部２６１内の不揮発性メモリ２６１ｃに設定されている字幕表示／非表示チャンネル設定テーブルへアクセスすることにより、ステップＳ８０１で抽出したチャンネルが“字幕ＯＮ”のチャンネルなのか、“字幕ＯＦＦ”のチャンネルなのか、“字幕ＯＮ”のチャンネルでも“字幕ＯＦＦ”のチャンネルでもないのかを判定する。ステップＳ８０１で抽出したチャンネルが“字幕ＯＮ”のチャンネルの場合、ステップＳ８０４へ進み字幕を表示する。ステップＳ８０１で抽出したチャンネルが“字幕ＯＦＦ”のチャンネルの場合、ステップＳ８０５へ進み字幕を非表示とする。ステップＳ８０１で抽出したチャンネルが“字幕ＯＮ”のチャンネルでも“字幕ＯＦＦ”のチャンネルでもない場合には、ステップＳ８０３へ進む。
【００７０】
ステップＳ８０３：制御部２６１は、制御部２６１内の不揮発性メモリ２６１ｃに設定されている情報へアクセスすることにより、図６のステップＳ６０１で設定された字幕ＯＮ／ＯＦＦの設定が「字幕ＯＮ」か「字幕ＯＦＦ」かを判定する。“字幕ＯＮ”のチャンネルの場合、ステップＳ８０４へ進み字幕を表示する。“字幕ＯＦＦ”のチャンネルの場合、ステップＳ８０５へ進み字幕を非表示とする。
【００７１】
ステップＳ８０４：制御部２６１は、ＯＳＤ信号生成部２５７およびグラフィック処理部２５４を制御して、字幕を映像信号に重畳することにより字幕の重畳された映像を映像表示器１１４に表示させる。
【００７２】
ステップＳ８０５：制御部２６１は、ＯＳＤ信号生成部２５７およびグラフィック処理部２５４を制御して、字幕を映像信号に重畳させないことにより字幕を非表示とし、字幕の重畳されていない映像を映像表示器１１４に表示させる。
【００７３】
例えば、図６に示すように設定されているときに、現在視聴している番組のチャンネルが「１４１ｃｈ」の場合には、字幕がＯＦＦされる。
このように、図７の字幕ＯＮ／ＯＦＦの設定にて、「字幕ＯＦＦ」と設定してあっても、図７の「優先して字幕をＯＮ／ＯＦＦするチャンネル」の設定で、“字幕ＯＮ”に登録されているチャンネルと一致する番組を受信している場合には字幕を表示する。また、図４の字幕ＯＮ／ＯＦＦの設定にて、「字幕ＯＮ」と設定してあっても、図４の「優先して字幕をＯＮ／ＯＦＦするチャンネル」の設定で、“字幕ＯＦＦ”に登録されているチャンネルと一致する番組を受信している場合には字幕を非表示する。さらに、図４の「優先して字幕をＯＮ／ＯＦＦするチャンネル」で登録してあるチャンネルにいずれも一致しない場合には、図４の字幕ＯＮ／ＯＦＦの設定に従う。
【００７４】
これにより、番組属性情報を元に、視聴者が字幕の表示を禁止したい番組だけ字幕を非表示とすることを可能とし、同様に、番組属性情報を元に、視聴者の好みの番組だけ字幕を表示することを可能とする。
【００７５】
受信機の主たる字幕表示／非表示の設定が「字幕を表示する」という設定であっても、所望の番組属性を持った番組のみ字幕を非表示とすることができ、特定の番組だけは字幕設定を行うこと無く字幕を表示しないようにすることが出来る。また、主たる字幕表示／非表示の設定が「字幕を表示しない」という設定であっても、所望の番組属性を持った番組のみ字幕を表示することができ、字幕を見逃さないようにすることができる。
【００７６】
（他の実施形態）
この所望の番組属性の他の変形例としては、ジャンル、チャンネルの他、以下同様に第２の実施形態のように変形させることにより、（１）所定の時間帯、（２）特定の番組、（３）番組視聴年齢制限データ等によって、「優先して字幕をＯＮ／ＯＦＦ」制御するようにしても同様な効果を得ることができる。
【００７７】
例えば、所定の時間帯に基づき字幕の表示／非表示を制御すれば、所定の時間帯に基づき字幕の表示／非表示を制御することができる。また、特定の番組に基づき字幕の表示／非表示を制御すれば、特定の番組に基づき字幕の表示／非表示を制御することができる。また、番組視聴年齢制限データに基づき字幕の表示／非表示を制御すれば、番組視聴年齢制限データに基づき字幕の表示／非表示を制御することができる。
【００７８】
なお、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。例えば、第１の実施形態と第２の実施形態とを組み合わせ、所望の番組属性として、ジャンル、チャンネルを組みとしたものとしてもよい。
【図面の簡単な説明】
【００７９】
【図１】本発明を適用したデジタルテレビジョン放送受信装置１１１の外観と、このデジタルテレビジョン放送受信装置１１１を中心として構成されるネットワークシステムを説明するための図。
【図２】デジタルテレビジョン放送受信装置１１１の主要な信号処理系を示す図。
【図３】字幕のＯＮ／ＯＦＦの設定動作を説明するためのフローチャート。
【図４】字幕ＯＮ／ＯＦＦ設定メニューを説明するためのフローチャート。
【図５】字幕のＯＮ／ＯＦＦの表示動作を説明するための図。
【図６】字幕のＯＮ／ＯＦＦの設定動作を説明するためのフローチャート。
【図７】字幕ＯＮ／ＯＦＦ設定メニューを説明するための図。
【図８】字幕ＯＮ／ＯＦＦ設定メニューを説明するためのフローチャート。
【符号の説明】
【００８０】
１１１…デジタルテレビジョン放送受信装置、１１２…キャビネット、１１３…支持台、１１４…映像表示器、１１５…スピーカ、１１６…操作部、１１７…リモートコントローラ、１１８…受光部、１１９…第１のメモリカード、１２０…第２のメモリカード、１２１…第１のＬＡＮ端子、１２２…第２のＬＡＮ端子、１２３…ＵＳＢ端子、１２４…ｉ．ＬＩＮＫ端子、１２５，１２７，１３９…ＨＤＤ、１２６，１３５…ハブ、１２８，１３３…ＰＣ、１２９…ＤＶＤレコーダ、１３０…アナログ伝送路、１３１…ブロードバンドルータ、１３２…ネットワーク、１３４，１３６…携帯電話、１３７…デジタルカメラ、１３８…カードリーダ／ライタ、１４０…キーボード、１４１…ＡＶ−ＨＤＤ、１４２…Ｄ−ＶＨＳ。
【図１】
2007013561.tif 000003
【図２】
2007013561.tif 000004
【図３】
2007013561.tif 000005
【図４】
2007013561.tif 000006
【図５】
2007013561.tif 000007
【図６】
2007013561.tif 000008
【図７】
2007013561.tif 000009
【図８】
2007013561.tif 000010